(57)【要約】【課題】映像表示装置において、Ｙ／ＣＶＢＳ端子から入力されている信号がコンポジット映像信号であるのか、コンポーネント映像信号のＹ信号であるのかを判定できるようにする。【解決手段】映像表示装置は、Ｙ／ＣＶＢＳ端子から入力されている信号に含まれている同期信号の周波数が３１．４ｋＨｚ、３３．７ｋＨｚ、４４．２ｋＨｚ、６７．５ｋＨｚのいずれかであれば（＃３でＹＥＳ）、コンポーネント映像信号のＹ信号が入力されていると判定する（＃４）。また、Ｙ／ＣＶＢＳ端子から入力されている信号にカラーバースト信号が含まれていれば（＃７でＹＥＳ）、コンポジット映像信号が入力されていると判定する（＃８）。また、カラーバースト信号が含まれていない場合には（＃７でＮＯ）、１５．７ｋＨｚの周波数の同期信号が含まれていれば（＃１０でＹＥＳ）、コンポーネント映像信号のＹ信号が入力されていると判定する（＃１１）。【選択図】図６
2014103602.tif 000002
【特許請求の範囲】
【請求項１】
信号入力用の端子と、
前記信号入力用の端子から入力されている信号の特徴を検出する特徴検出手段と、
前記特徴検出手段による検出結果に基いて、前記信号入力用の端子からコンポジット映像信号が入力されているか、前記信号入力用の端子からコンポーネント映像信号のＹ信号が入力されているか、を判定する判定手段と、
を備える映像表示装置。
【請求項２】
前記特徴検出手段は、前記信号入力用の端子から入力されている信号の特徴として、前記信号入力用の端子から入力されている信号にカラーバースト信号が含まれているか否かを検出するカラーバースト信号検出手段を有し、
前記判定手段は、前記カラーバースト信号検出手段による検出結果に基いて、前記信号入力用の端子からコンポジット映像信号が入力されているか否かを判定することを特徴とする、
請求項１に記載の映像表示装置。
【請求項３】
前記特徴検出手段は、前記信号入力用の端子から入力されている信号の特徴として、前記信号入力用の端子から入力されている信号に所定の周波数の同期信号が含まれているか否かを検出する同期信号検出手段を有し、
前記判定手段は、前記同期信号検出手段による検出結果に基いて、前記信号入力用の端子からコンポーネント映像信号のＹ信号が入力されているか否かを判定することを特徴とする、
請求項１又は請求項２に記載の映像表示装置。
【請求項４】
前記判定手段による判定結果に基いて、前記信号入力用の端子から入力されている信号に対して行う映像信号処理の処理モードを設定する設定手段をさらに備えることを特徴とする、
請求項１乃至請求項３のいずれか一項に記載の映像表示装置。
【発明の詳細な説明】
【技術分野】
【０００１】
本発明は、外部装置から入力される映像信号による映像を表示する映像表示装置に関するものである。
【背景技術】
【０００２】
従来から、外部装置（チューナ、ゲーム機、ＢＤプレイヤなどの映像信号を出力する外部装置）に接続して使用され、外部装置から入力される映像信号による映像を表示する映像表示装置がある。このような映像表示装置としては、外部装置から映像信号を入力するための映像信号入力用の端子においては、コンポジット映像信号入力用のコンポジット端子と、コンポーネント映像信号入力用のコンポーネント端子を備えるものがある。コンポーネント端子は、Ｙ信号入力用のＹ端子と、Ｐｂ信号入力用のＰｂ端子と、Ｐｒ信号入力用のＰｒ端子とからなっている。
【０００３】
また、このような映像表示装置において、コストダウン等のために、コンポジット端子とコンポーネント端子のＹ端子を共用したものがある。すなわち、この映像表示装置は、映像信号入力用の端子として、コンポジット端子とコンポーネント端子のＹ端子を共用したＹ／ＣＶＢＳ端子と、コンポーネント端子のＰｂ端子と、コンポーネント端子のＰｒ端子と、を備えている。
【０００４】
このようなコンポジット端子とコンポーネント端子のＹ端子を共用した映像表示装置では、Ｐｒ端子に信号ケーブルの端子が挿入されているか否か（Ｐｒ端子に信号ケーブルが接続されているか否か）をメカスイッチにより検知するようになっている。そして、Ｐｒ端子に信号ケーブルの端子が挿入されていれば、自動的に、映像信号処理モードをコンポーネントモードに設定し、Ｐｒ端子に信号ケーブルの端子が挿入されていなければ、自動的に、映像信号処理モードをコンポジットモードに設定するようになっている。
【０００５】
すなわち、Ｐｒ端子に信号ケーブルの端子が挿入されている場合（コンポーネントモードのとき）には、Ｙ／ＣＶＢＳ端子、Ｐｂ端子、Ｐｒ端子から入力されている信号をコンポーネント映像信号として処理するようになっている。つまり、Ｐｒ端子に信号ケーブルの端子が挿入されている場合には、Ｙ／ＣＶＢＳ端子、Ｐｂ端子、Ｐｒ端子から入力されている信号に対して、コンポーネント映像信号による映像を表示するための各種の映像信号処理を行うようになっている。
【０００６】
また、Ｐｒ端子に信号ケーブルの端子が挿入されていない場合（コンポジットモードのとき）には、Ｙ／ＣＶＢＳ端子から入力されている信号をコンポジット映像信号として処理するようになっている。つまり、Ｐｒ端子に信号ケーブルの端子が挿入されていない場合には、Ｙ／ＣＶＢＳ端子から入力されている信号に対して、コンポジット映像信号による映像を表示するための各種の映像信号処理を行うようになっている。
【０００７】
一方、コンポーネント端子と、コンポーネント端子とは別に設けられたコンポジット端子とを備え、コンポーネント端子のＹ端子にピンジャックが差し込まれているか否かによって、コンポーネント映像信号とコンポジット映像信号のいずれが入力されているかを判断して、色信号処理系を自動的に切り替えるようにした映像表示装置が知られている（例えば特許文献１参照）。また、コンポジット端子とコンポーネント端子のＹ端子を共用したＹ／ＣＶＢＳ端子を備え、Ｙ／ＣＶＢＳ端子にカラーバースト信号を含む信号が入力されたときに、コンポーネント端子のＰｂ端子及びＰｒ端子から入力された信号を音声信号処理回路に送るようにした映像表示装置が知られている（例えば特許文献２参照）。
【先行技術文献】
【特許文献】
【０００８】
【特許文献１】特開２００７−６１５０号公報
【特許文献２】特開２０１２−１１４７４１号公報
【発明の概要】
【発明が解決しようとする課題】
【０００９】
ところで、上述した従来の映像表示装置においては、Ｐｒ端子に信号ケーブルの端子が挿入されていれば、自動的に、映像信号処理モードをコンポーネントモードに設定するようになっている。
【００１０】
このため、Ｙ／ＣＶＢＳ端子に信号ケーブルの端子が接続されていて、Ｙ／ＣＶＢＳ端子からコンポジット映像信号が入力されていても、Ｐｒ端子に信号ケーブルの端子が挿入されていると、映像信号処理モードがコンポーネントモードに設定されてしまう。この場合、Ｙ／ＣＶＢＳ端子からコンポジット映像信号が入力されていて、Ｐｂ端子、Ｐｒ端子から信号が入力されていなくても、コンポーネント映像信号による映像を表示するための各種の映像信号処理が行われてしまう。その結果、Ｙ／ＣＶＢＳ端子からコンポジット映像信号が入力されているにも関わらず、Ｙ／ＣＶＢＳ端子から入力されているコンポジット映像信号による映像が適正に表示されない（例えば映像が白黒になるなど）という不具合を生じる。
【００１１】
この不具合を解消するには、Ｙ／ＣＶＢＳ端子から入力されている信号がコンポジット映像信号であるのか、コンポーネント映像信号のＹ信号であるのかを判定することができればよい。Ｙ／ＣＶＢＳ端子から入力されている信号がコンポジット映像信号であるのか、コンポーネント映像信号のＹ信号であるのかを判定することができれば、その判定結果に基いて、映像信号処理モードを適切に設定でき、上記の不具合を解消することができる。
【００１２】
本発明は、上記課題を解決するためになされたものであり、信号入力用の端子から入力されている信号がコンポジット映像信号であるのか、コンポーネント映像信号のＹ信号であるのかを判定することができる映像表示装置を提供することを目的とする。
【課題を解決するための手段】
【００１３】
上記目的を達成するために本発明の映像表示装置は、信号入力用の端子と、信号入力用の端子から入力されている信号の特徴を検出する特徴検出手段と、特徴検出手段による検出結果に基いて、信号入力用の端子からコンポジット映像信号が入力されているか、信号入力用の端子からコンポーネント映像信号のＹ信号が入力されているか、を判定する判定手段と、を備える、ものである。
【００１４】
この構成によれば、信号入力用の端子から入力されている信号の特徴に基いて、その信号入力用の端子から入力されている信号がコンポジット映像信号であるのか、コンポーネント映像信号のＹ信号であるのかを判定することができる。
【００１５】
また、本発明の映像表示装置において、特徴検出手段は、信号入力用の端子から入力されている信号の特徴として、信号入力用の端子から入力されている信号にカラーバースト信号が含まれているか否かを検出するカラーバースト信号検出手段を有し、判定手段は、カラーバースト信号検出手段による検出結果に基いて、信号入力用の端子からコンポジット映像信号が入力されているか否かを判定する、ことが望ましい。
【００１６】
この構成によれば、信号入力用の端子から入力されている信号にカラーバースト信号が含まれているか否かに基いて、信号入力用の端子から入力されている信号がコンポジット映像信号であるのか否かを判定することができる。
【００１７】
また、本発明の映像表示装置において、特徴検出手段は、信号入力用の端子から入力されている信号の特徴として、信号入力用の端子から入力されている信号に所定の周波数の同期信号が含まれているか否かを検出する同期信号検出手段を有し、判定手段は、同期信号検出手段による検出結果に基いて、信号入力用の端子からコンポーネント映像信号のＹ信号が入力されているか否かを判定する、ことが望ましい。
【００１８】
この構成によれば、信号入力用の端子から入力されている信号に所定の周波数の同期信号が含まれているか否かに基いて、信号入力用の端子から入力されている信号がコンポーネント映像信号であるのか否かを判定することができる。
【００１９】
また、本発明の映像表示装置において、判定手段による判定結果に基いて、信号入力用の端子から入力されている信号に対して行う映像信号処理の処理モードを設定する設定手段をさらに備える、ことが望ましい。
【００２０】
この構成によれば、信号入力用の端子から入力されている信号に応じて、映像信号処理の処理モードを設定することができる。
【発明の効果】
【００２１】
本発明によれば、信号入力用の端子から入力されている信号の特徴に基いて、その信号入力用の端子から入力されている信号がコンポジット映像信号であるのか、コンポーネント映像信号のＹ信号であるのかを判定することができる。しかも、この判定は、信号入力用の端子から入力されている信号に基いて行われる。従って、別の信号入力用の端子に信号ケーブルの端子が挿入されているか否かに関係なく、信号入力用の端子から入力されている信号がコンポジット映像信号であるのか、コンポーネント映像信号のＹ信号であるのかを判定することができる。これにより、この判定結果に基いて、映像信号処理の処理モードを適切に設定することができ、映像を適正に表示することができる。
【図面の簡単な説明】
【００２２】
【図１】本発明の第１の実施形態に係る映像表示装置の概略構成を示す平面図。
【図２】同映像表示装置の信号入力部の構成を示す平面図。
【図３】同映像表示装置の電気的ブロック構成図。
【図４】同映像表示装置に入力されるコンポーネント映像信号のＹ信号及びコンポジット映像信号の特徴を説明する図。
【図５】同映像表示装置に入力されるコンポジット映像信号のカラーバースト信号を示す図。
【図６】同映像表示装置のノーシグナル状態のときの動作を示すフローチャート。
【図７】本発明の第２の実施形態に係る映像表示装置のノーシグナル状態のときの動作を示すフローチャート。
【発明を実施するための形態】
【００２３】
以下、本発明を具体化した実施形態による映像表示装置について図面を参照して説明する。
＜第１の実施形態＞
まず、第１の実施形態による映像表示装置について説明する。図１は、第１の実施形態による映像表示装置の構成を示す。映像表示装置１は、外部装置（チューナ、ゲーム機、ＢＤプレイヤなどの映像信号を出力する外部装置）に接続して使用され、外部装置から入力される映像信号による映像を表示する装置である。
【００２４】
映像表示装置１は、映像の表示や音声の出力等の各種動作を行う本体１０と、ユーザが本体１０の各種動作（映像表示装置１の各種動作）を指示するために操作するリモコン２０とを備える。リモコン２０は、本体１０と別体に構成されており、ユーザにより操作されることにより、その操作内容を示す操作信号を赤外線によって送信する。
【００２５】
本体１０は、外部装置から映像信号及び音声信号を入力するための信号入力部１１と、信号入力部１１から入力された映像信号による映像を表示するためのディスプレイ１２と、信号入力部１１から入力された音声信号による音声を出力するためのスピーカ１３と、リモコン２０から送信される操作信号を受信するリモコン受信部１４とを備える。ディスプレイ１２、スピーカ１３、及びリモコン受信部１４は、本体１０の正面側に設けられており、信号入力部１１は、本体１０の背面側に設けられている。
【００２６】
図２は、信号入力部１１の構成を示す。信号入力部１１は、コンポジット端子（ＣＶＢＳ端子）３１と、コンポーネント端子３２と、ＨＤＭＩ端子３３と、アナログ音声端子３４と、デジタル音声端子３５と備えている。
【００２７】
コンポジット端子３１は、コンポジット映像信号入力用の端子である。コンポーネント端子３２は、コンポーネント映像信号入力用の端子であり、Ｙ端子３２ｙと、Ｐｂ端子３２ｐｂと、Ｐｒ端子３２ｐｒとを有している。Ｙ端子３２ｙは、コンポーネント映像信号のＹ信号（輝度信号と同期信号とを合成した信号）入力用の端子である。Ｐｂ端子３２ｐｂは、コンポーネント映像信号のＰｂ信号（青の色信号から輝度信号を取り除いた色差信号）入力用の端子である。Ｐｒ端子３２ｐｒは、コンポーネント映像信号のＰｒ信号（赤の色信号から輝度信号を取り除いた色差信号）入力用の端子である。コンポジット端子３１とコンポーネント端子３２のＹ端子３２ｙは、Ｙ／ＣＢＶＳ端子４０として共用されている。すなわち、Ｙ／ＣＶＢＳ端子４０は、コンポジット映像信号入力用のコンポジット端子３１とコンポーネント映像信号のＹ信号入力用のＹ端子３２ｙとを兼ねた端子である。ＨＤＭＩ端子３３は、ＨＤＭＩ信号及びＤＶＩ信号入力用の端子である。
【００２８】
アナログ音声端子３４は、アナログ音声信号入力用の端子であり、左音声端子３４Ｌと、右音声端子３４Ｒとを有している。左音声端子３４Ｌは、アナログ音声信号の左の音声信号入力用の端子であり、右音声端子３４Ｒは、アナログ音声信号の右の音声信号入力用の端子である。デジタル音声端子３５は、デジタル音声信号入力用の端子である。
【００２９】
コンポジット端子３１、コンポーネント端子３２、ＨＤＭＩ端子３３、アナログ音声端子３４、デジタル音声端子３５には、信号ケーブルの端子が挿入されることにより、信号ケーブルが接続される。映像表示装置１は、信号ケーブルを介して、外部装置に接続される。外部装置からの映像信号は、信号ケーブルを介して、コンポジット端子３１、コンポーネント端子３２、又はＨＤＭＩ端子３３から入力される。また、外部装置からの音声信号は、信号ケーブルを介して、アナログ音声端子３４、デジタル音声端子３５、又はＨＤＭＩ端子３３から入力される。
【００３０】
図３は、映像表示装置１の電気的ブロック構成を示す。映像表示装置１は、上述の構成に加え、ＨＤＭＩレシーバ１５と、映像処理部１６と、音声処理部１７と、制御部（判定手段、設定手段）１８とを備えている。
【００３１】
信号入力部１１は、上述のように、Ｙ／ＣＢＶＳ端子４０（コンポジット端子３１、Ｙ端子３２ｙ）と、Ｐｂ端子３２ｐｂと、Ｐｒ端子３２ｐｒと、ＨＤＭＩ端子３３と、アナログ音声端子３４と、デジタル音声端子３５とを備えている。Ｙ／ＣＢＶＳ端子４０から入力された信号、Ｐｂ端子３２ｐｂから入力された信号、及びＰｒ端子３２ｐｒから入力された信号は、映像処理部１６に入力される。ＨＤＭＩ端子３３から入力された信号は、ＨＤＭＩレシーバ１５に入力される。アナログ音声端子３４から入力された信号、及びデジタル音声端子３５から入力された信号は、音声処理部１７に入力される。
【００３２】
ＨＤＭＩレシーバ１５は、ＨＤＭＩ端子３３から入力されたＨＤＭＩ信号を処理して、ＨＤＭＩ端子３３から入力されたＨＤＭＩ信号の映像信号及び音声信号を生成する。ＨＤＭＩレシーバ１５により生成されたＨＤＭＩ信号の映像信号は、映像処理部１６に入力され、ＨＤＭＩレシーバ１５により生成されたＨＤＭＩ信号の音声信号は、音声処理部１７に入力される。また、ＨＤＭＩレシーバ１５は、ＨＤＭＩ端子３３から入力されたＤＶＩ信号を処理して、ＨＤＭＩ端子３３から入力されたＤＶＩ信号の映像信号を生成する。ＨＤＭＩレシーバ１５により生成されたＤＶＩ信号の映像信号は、映像処理部１６に入力される。
【００３３】
また、ＨＤＭＩレシーバ１５は、常時、ＨＤＭＩ端子３３から入力されている信号に同期信号が含まれているか否かを検出して、その検出結果を制御部１８に出力する。また、ＨＤＭＩレシーバ１５は、常時、ＨＤＭＩ端子３３から入力されている信号に音声信号が含まれているか否かを検出して、その検出結果を制御部１８に出力する。
【００３４】
映像処理部１６は、Ｙ／ＣＢＶＳ端子４０、Ｐｂ端子３２ｐｂ、Ｐｒ端子３２ｐｒ、及びＨＤＭＩレシーバ１５から入力されている信号に対して、それらの信号による映像をディスプレイ１２で表示するための各種の映像信号処理を行う。すなわち、映像処理部１６は、Ｙ／ＣＢＶＳ端子４０、Ｐｂ端子３２ｐｂ、Ｐｒ端子３２ｐｒ、及びＨＤＭＩレシーバ１５から入力されている信号から、それらの信号による映像をディスプレイ１２で表示するための映像信号（ディスプレイ１２のＲＧＢの各画素の輝度を示す輝度信号、クロック信号、同期信号等）を生成する。そして、映像処理部１６は、その生成した映像信号をディスプレイ１２に供給する。
【００３５】
映像処理部１６は、制御部１８による制御のもと、映像信号処理モードがコンポジットモード（ＣＶＢＳ（ＮＴＳＣ）モード）、コンポーネントモード、ＨＤＭＩモードのいずれかに選択的に設定される。そして、映像処理部１６は、その設定された映像信号処理モードで、映像をディスプレイ１２で表示するための各種の映像信号処理を行う。
【００３６】
映像処理部１６は、コンポジットモードのときは、Ｙ／ＣＢＶＳ端子４０から入力されている信号をコンポジット映像信号として処理する。つまり、映像処理部１６は、コンポジットモードのときは、Ｙ／ＣＢＶＳ端子４０から入力されている信号に対して、コンポジット映像信号による映像をディスプレイ１２で表示するための各種の映像信号処理を行う。すなわち、映像処理部１６は、コンポジットモードのときは、Ｙ／ＣＢＶＳ端子４０から入力されている信号をコンポジット映像信号として処理して、その信号による映像をディスプレイ１２で表示するための映像信号を生成する。
【００３７】
また、映像処理部１６は、コンポーネントモードのときは、Ｙ／ＣＢＶＳ端子４０、Ｐｂ端子３２ｐｂ、Ｐｒ端子３２ｐｒから入力されている信号をコンポーネント映像信号として処理する。つまり、映像処理部１６は、コンポーネントモードのときは、Ｙ／ＣＢＶＳ端子４０、Ｐｂ端子３２ｐｂ、Ｐｒ端子３２ｐｒから入力されている信号に対して、コンポーネント映像信号による映像をディスプレイ１２で表示するための各種の映像信号処理を行う。すなわち、映像処理部１６は、コンポーネントモードのときは、Ｙ／ＣＢＶＳ端子４０、Ｐｂ端子３２ｐｂ、Ｐｒ端子３２ｐｒから入力されている信号をコンポーネント映像信号として処理して、その信号による映像をディスプレイ１２で表示するための映像信号を生成する。
【００３８】
また、映像処理部１６は、ＨＤＭＩモードのときは、ＨＤＭＩレシーバ１５から入力されている信号をＨＤＭＩ信号又はＤＶＩ信号の映像信号として処理する。つまり、映像処理部１６は、ＨＤＭＩモードのときは、ＨＤＭＩレシーバ１５から入力されている信号に対して、ＨＤＭＩ信号又はＤＶＩ信号の映像信号による映像をディスプレイ１２で表示するための各種の映像信号処理を行う。すなわち、映像処理部１６は、ＨＤＭＩモードのときは、ＨＤＭＩレシーバ１５から入力されている信号をＨＤＭＩ信号又はＤＶＩ信号の映像信号として処理して、その信号による映像をディスプレイ１２で表示するための映像信号を生成する。
【００３９】
ディスプレイ１２は、映像処理部１６から映像信号が供給されることにより、供給された映像信号に基いて各画素を駆動して、供給された映像信号による映像を表示する。
【００４０】
また、映像処理部１６は、Ｙ／ＣＶＢＳ端子４０から入力されている信号の特徴を検出する特徴検出部６０を有している。特徴検出部６０は、Ｙ／ＣＶＢＳ端子４０から入力されている信号の特徴として、Ｙ／ＣＶＢＳ端子４０から入力されている信号にカラーバースト信号が含まれているか否かを検出するカラーバースト信号検出部６１を有している。また、特徴検出部６０は、Ｙ／ＣＶＢＳ端子４０から入力されている信号の特徴として、Ｙ／ＣＶＢＳ端子４０から入力されている信号に所定の周波数の同期信号が含まれているか否かを検出する同期信号検出部６２を有している。
【００４１】
カラーバースト信号検出部６１は、映像処理部１６の映像信号処理モードがコンポジットモードのときに、常時、Ｙ／ＣＶＢＳ端子４０から入力されている信号にカラーバースト信号が含まれているか否かを検出して、その検出結果を制御部１８に出力する。
【００４２】
同期信号検出部６２は、映像処理部１６の映像信号処理モードがコンポジットモードのときに、常時、Ｙ／ＣＶＢＳ端子４０から入力されている信号に所定の周波数の同期信号として１５．７ｋＨｚの周波数の同期信号が含まれているか否かを検出して、その検出結果を制御部１８に出力する。
【００４３】
また、同期信号検出部６２は、映像処理部１６の映像信号処理モードがコンポーネントモードのときに、常時、Ｙ／ＣＶＢＳ端子４０から入力されている信号に所定の周波数の同期信号として１５．７ｋＨｚ〜６７．５ｋＨｚの周波数の同期信号が含まれているか否かを検出して、その検出結果を制御部１８に出力する。このとき、同期信号検出部６２は、１５．７ｋＨｚ〜６７．５ｋＨｚの周波数の同期信号が含まれていることを検出した場合には、その同期信号の周波数を検出して、その検出結果を制御部１８に出力する。
【００４４】
すなわち、映像処理部１６は、コンポジットモードのときには、常時、カラーバースト信号検出部６１により、Ｙ／ＣＶＢＳ端子４０から入力されている信号にカラーバースト信号が含まれているか否かを検出して、その検出結果を制御部１８に出力する。また、映像処理部１６は、コンポジットモードのときには、常時、同期信号検出部６２により、Ｙ／ＣＶＢＳ端子４０から入力されている信号に１５．７ｋＨｚの周波数の同期信号が含まれているか否かを検出して、その検出結果を制御部１８に出力する。
【００４５】
また、映像処理部１６は、コンポーネントモードのときには、常時、同期信号検出部６２により、Ｙ／ＣＶＢＳ端子４０から入力されている信号に１５．７ｋＨｚ〜６７．５ｋＨｚの周波数の同期信号が含まれているか否かを検出して、その検出結果を制御部１８に出力する。また、映像処理部１６は、コンポーネントモードのときには、常時、同期信号検出部６２により、Ｙ／ＣＶＢＳ端子４０から入力されている信号に含まれている同期信号の周波数を検出して、その検出結果を制御部１８に出力する。
【００４６】
音声処理部１７は、アナログ音声端子３４、デジタル音声端子３５、及びＨＤＭＩレシーバ１５から入力されている信号に対して、それらの信号による音声をスピーカ１３から出力するための各種の音声信号処理を行う。すなわち、音声処理部１７は、アナログ音声端子３４、デジタル音声端子３５、及びＨＤＭＩレシーバ１５から入力されている信号から、それらの信号による音声をスピーカ１３から出力するための音声信号を生成する。そして、音声処理部１７は、その生成した音声信号をスピーカ１３に供給する。
【００４７】
音声処理部１７は、制御部１８による制御のもと、音声信号処理モードがアナログモード、デジタルモード、ＨＤＭＩモードのいずれかに選択的に設定される。そして、音声処理部１７は、その設定された音声信号処理モードで、各種の音声信号処理を行う。
【００４８】
音声処理部１７は、アナログモードのときは、アナログ音声端子３４から入力されている信号に対して、各種の音声信号処理を行う。また、音声処理部１７は、デジタルモードのときは、デジタル音声端子３５から入力されている信号に対して、各種の音声信号処理を行う。また、音声処理部１７は、ＨＤＭＩモードのときは、ＨＤＭＩレシーバ１５から入力されている信号に対して、各種の音声信号処理を行う。
【００４９】
スピーカ２３は、音声処理部１７から音声信号が供給されることにより、供給された音声信号による音声を出力する。
【００５０】
リモコン２０は、ユーザにより操作されることにより、その操作内容を示す操作信号を赤外線によって送信する。リモコン受信部１４は、リモコン２０から送信される操作信号を受信して、受信したリモコン操作信号に対応するリモコン受信信号を出力する。
【００５１】
制御部１８は、信号入力部１１からの信号の入力状況を判定する。また、制御部１８は、映像処理部１６の映像信号処理モード、すなわち、Ｙ／ＣＢＶＳ端子４０、Ｐｂ端子３２ｐｂ、Ｐｒ端子３２ｐｒ、及びＨＤＭＩレシーバ１５から入力されている信号に対して行う映像信号処理の処理モードを設定する。また、制御部１８は、音声処理部１７の音声信号処理モード、すなわち、アナログ音声端子３４、デジタル音声端子３５、及びＨＤＭＩレシーバ１５から入力されている信号に対して行う音声信号処理の処理モードを設定する。また、制御部１８は、映像表示装置１の各種動作を制御する。
【００５２】
図４は、コンポーネント映像信号のＹ信号及びコンポジット映像信号の特徴を示す。コンポーネント映像信号には、フォーマット名が「１０８０ｐ」「７２０ｐ」「１０８０ｉ」「４８０ｐ」「４８０ｉ」の５種類のものがある。フォーマット名が「１０８０ｐ」のコンポーネント映像信号のＹ信号は、６７．５ｋＨｚの周波数の同期信号を含んでいる。フォーマット名が「７２０ｐ」のコンポーネント映像信号のＹ信号は、４４．２ｋＨｚの周波数の同期信号を含んでいる。フォーマット名が「１０８０ｉ」のコンポーネント映像信号のＹ信号は、３３．７ｋＨｚの周波数の同期信号を含んでいる。フォーマット名が「４８０ｐ」のコンポーネント映像信号のＹ信号は、３１．４ｋＨｚの周波数の同期信号を含んでいる。フォーマット名が「４８０ｉ」のコンポーネント映像信号のＹ信号は、１５．７ｋＨｚの周波数の同期信号を含んでいる。また、フォーマット名が「１０８０ｐ」「７２０ｐ」「１０８０ｉ」「４８０ｐ」「４８０ｉ」のいずれのコンポーネント映像信号のＹ信号も、カラーバースト信号を含んでいない。
【００５３】
コンポジット映像信号には、フォーマット名が「ＣＶＢＳ」の１種類のものがある。コンポジット映像信号は、１５．７ｋＨｚの周波数の同期信号を含んでいる。すなわち、コンポジット映像信号に含まれている同期信号の周波数は、フォーマット名が「４８０ｉ」のコンポーネント映像信号に含まれている同期信号の周波数と同じである。また、コンポジット映像信号は、カラーバースト信号を含んでいる。
【００５４】
制御部１８は、これらコンポーネント映像信号のＹ信号及びコンポジット映像信号の特徴、及び特徴検出部６０による信号の特徴の検出結果に基いて、Ｙ／ＣＶＢＳ端子４０からコンポジット映像信号が入力されているか否か、及びＹ／ＣＶＢＳ端子４０からコンポーネント映像信号のＹ信号が入力されているか否か、を判定する。
【００５５】
すなわち、制御部１８は、カラーバースト信号検出部６１によるカラーバースト信号の検出結果に基いて、Ｙ／ＣＶＢＳ端子４０からコンポジット映像信号が入力されているか否かを判定する。つまり、制御部１８は、カラーバースト信号検出部６１による検出結果に基いて、Ｙ／ＣＶＢＳ端子４０から入力されている信号にカラーバースト信号が含まれているか否かを判定する。そして、Ｙ／ＣＶＢＳ端子４０から入力されている信号にカラーバースト信号が含まれていれば、制御部１８は、Ｙ／ＣＶＢＳ端子４０からコンポジット映像信号が入力されていると判定する。一方、Ｙ／ＣＶＢＳ端子４０から入力されている信号にカラーバースト信号が含まれていなければ、制御部１８は、Ｙ／ＣＶＢＳ端子４０からコンポジット映像信号が入力されていないと判定する。
【００５６】
また、制御部１８は、同期信号検出部６２による同期信号の検出結果に基いて、Ｙ／ＣＶＢＳ端子４０からコンポーネント映像信号のＹ信号が入力されているか否かを判定する。つまり、制御部１８は、同期信号検出部６２による検出結果に基いて、Ｙ／ＣＶＢＳ端子４０から入力されている信号に１５．７ｋＨｚ、３１．４ｋＨｚ、３３．７ｋＨｚ、４４．２ｋＨｚ、６７．５ｋＨｚのいずれかの周波数の同期信号が含まれているか否かを判定する。そして、Ｙ／ＣＶＢＳ端子４０から入力されている信号に３１．４ｋＨｚ、３３．７ｋＨｚ、４４．２ｋＨｚ、６７．５ｋＨｚのいずれかの周波数の同期信号が含まれていれば、制御部１８は、Ｙ／ＣＶＢＳ端子４０からコンポーネント映像信号のＹ信号が入力されていると判定する。また、Ｙ／ＣＶＢＳ端子４０から入力されている信号に１５．７ｋＨｚの周波数の同期信号が含まれている場合には、Ｙ／ＣＶＢＳ端子４０から入力されている信号にカラーバースト信号が含まれていないときに限って、制御部１８は、Ｙ／ＣＶＢＳ端子４０からコンポーネント映像信号のＹ信号が入力されていると判定する。一方、Ｙ／ＣＶＢＳ端子４０から入力されている信号に１５．７ｋＨｚ、３１．４ｋＨｚ、３３．７ｋＨｚ、４４．２ｋＨｚ、６７．５ｋＨｚのいずれの周波数の同期信号も含まれていなければ、制御部１８は、Ｙ／ＣＶＢＳ端子４０からコンポーネント映像信号のＹ信号が入力されていないと判定する。
【００５７】
また、制御部１８は、ＨＤＭＩレシーバ１５による同期信号及び音声信号の検出結果に基いて、ＨＤＭＩ端子３３からＨＤＭＩ信号が入力されているか否か、ＨＤＭＩ端子３３からＤＶＩ信号が入力されているか否か、を判定する。つまり、制御部１８は、ＨＤＭＩレシーバ１５による同期信号の検出結果に基いて、ＨＤＭＩ端子３３から入力されている信号に同期信号が含まれているか否かを判定する。そして、ＨＤＭＩ端子３３から入力されている信号に同期信号が含まれていれば、制御部１８は、ＨＤＭＩ端子３３からＨＤＭＩ信号又はＤＶＩ信号が入力されていると判定する。このとき、制御部１８は、さらに、ＨＤＭＩレシーバ１５による音声信号の検出結果に基いて、ＨＤＭＩ端子３３から入力されている信号に音声信号が含まれているか否かを判定する。そして、ＨＤＭＩ端子３３から入力されている信号に音声信号が含まれていれば、制御部１８は、ＨＤＭＩ端子３３からＨＤＭＩ信号が入力されていると判定し、ＨＤＭＩ端子３３から入力されている信号に音声信号が含まれていなければ、制御部１８は、ＨＤＭＩ端子３３からＤＶＩ信号が入力されていると判定する。一方、ＨＤＭＩ端子３３から入力されている信号に同期信号が含まれていなければ、制御部１８は、ＨＤＭＩ端子３３からＨＤＭＩ信号とＤＶＩ信号のいずれも入力されていないと判定する。
【００５８】
また、制御部１８は、これらコンポジット映像信号が入力されているか否か、コンポーネント映像信号のＹ信号が入力されているか否か、ＨＤＭＩ信号が入力されているか否か、ＤＶＩ信号が入力されているか否かの判定結果に基いて、映像処理部１６の映像信号処理モード、及び音声処理部１７の音声信号処理モードを設定する。
【００５９】
図５は、コンポジット映像信号のカラーバースト信号を示す。カラーバースト信号は、水平帰線消去期間内において、水平同期信号の後のバックポーチ部分に設けられている。すなわち、カラーバースト信号は、水平同期信号の立下りタイミングを基準とした所定の範囲（水平同期信号の立下りタイミングより１９クロック（１９ｆｓｃ）後から、９クロック（９ｆｓｃ）分の範囲（ｆｓｃ＝３．５８ＭＨｚ））に存在する。また、カラーバースト信号は、約３．５８ＭＨｚの正弦波である。
【００６０】
従って、カラーバースト信号検出部６１は、水平同期信号の立下りタイミングを基準とした所定の範囲内の信号の振幅レベルに基いて、Ｙ／ＣＶＢＳ端子４０から入力されている信号にカラーバースト信号が含まれているか否かを検出する。
【００６１】
つまり、カラーバースト信号検出部６１は、まず、Ｙ／ＣＶＢＳ端子４０から入力されている信号から水平同期信号の立下りタイミングを検出する。続いて、カラーバースト信号検出部６１は、検出した水平同期信号の立下りタイミングを基に、カラーバースト信号が存在すべき位置（水平同期信号の立下りタイミングを基準とした所定の範囲）を特定する。続いて、カラーバースト信号検出部６１は、特定したカラーバースト信号が存在すべき位置の信号を複製し、複製した信号の振幅レベルを検出する。
【００６２】
そして、カラーバースト信号検出部６１は、複製した信号の振幅レベルが所定レベルを超えている場合に、複製した信号内にカラーバースト信号が存在する、すなわち、Ｙ／ＣＶＢＳ端子４０から入力されている信号にカラーバースト信号が含まれていると検出する。一方、カラーバースト信号検出部６１は、複製した信号の振幅レベルが所定レベル以下である場合には、複製した信号内にカラーバースト信号が存在しない、すなわち、Ｙ／ＣＶＢＳ端子４０から入力されている信号にカラーバースト信号が含まれていないと検出する。また、カラーバースト信号検出部６１は、Ｙ／ＣＶＢＳ端子４０から入力されている信号から水平同期信号の立下りタイミングを検出できない場合（Ｙ／ＣＶＢＳ端子４０から入力されている信号に水平同期信号が含まれていない場合）にも、Ｙ／ＣＶＢＳ端子４０から入力されている信号にカラーバースト信号が含まれていないと検出する。
【００６３】
図６は、映像表示装置１がノーシグナル状態になったときの動作のフローチャートを示す。ノーシグナル状態とは、Ｙ／ＣＶＢＳ端子４０からコンポジット映像信号とコンポーネント映像信号のＹ信号のいずれも入力されておらず、かつ、ＨＤＭＩ端子３３からＨＤＭＩ信号とＤＶＩ信号のいずれも入力されていない状態のことである。
【００６４】
一旦ノーシグナル状態になると、制御部１８は、まず、映像処理部１６の映像信号処理モードをコンポーネントモードに設定する（＃１）。続いて、制御部１８は、同期信号検出部６２による検出結果に基いて、Ｙ／ＣＶＢＳ端子４０から入力されている信号に３１．４ｋＨｚ〜６７．５ｋＨｚの周波数の同期信号が含まれているか否かを判定する（＃２）。
【００６５】
ここで、Ｙ／ＣＶＢＳ端子４０から入力されている信号に３１．４ｋＨｚ〜６７．５ｋＨｚの周波数の同期信号が含まれていれば（＃２でＹＥＳ）、制御部１８は、同期信号検出部６２による検出結果に基いて、その同期信号の周波数が３１．４ｋＨｚ、３３．７ｋＨｚ、４４．２ｋＨｚ、６７．５ｋＨｚのいずれかであるか否かを判定する（＃３）。
【００６６】
そして、Ｙ／ＣＶＢＳ端子４０から入力されている信号に含まれている同期信号の周波数が３１．４ｋＨｚ、３３．７ｋＨｚ、４４．２ｋＨｚ、６７．５ｋＨｚのいずれかであれば（＃３でＹＥＳ）、制御部１８は、Ｙ／ＣＶＢＳ端子４０からコンポーネント映像信号のＹ信号が入力されていると判定する（＃４）。
【００６７】
一方、Ｙ／ＣＶＢＳ端子４０から入力されている信号に含まれている同期信号の周波数が３１．４ｋＨｚ、３３．７ｋＨｚ、４４．２ｋＨｚ、６７．５ｋＨｚのいずれでもなければ（＃３でＮＯ）、制御部１８は、Ｙ／ＣＶＢＳ端子４０からコンポーネント映像信号のＹ信号とコンポジット映像信号のいずれも入力されていないと判定する（＃５）。
【００６８】
また、Ｙ／ＣＶＢＳ端子４０から入力されている信号に３１．４ｋＨｚ〜６７．５ｋＨｚの周波数の同期信号が含まれていなければ（＃２でＮＯ）、制御部１８は、映像処理部１６の映像信号処理モードをコンポジットモードに設定する（＃６）。続いて、制御部１８は、カラーバースト信号検出部６１による検出結果に基いて、Ｙ／ＣＶＢＳ端子４０から入力されている信号にカラーバースト信号が含まれているか否かを判定する（＃７）。
【００６９】
そして、Ｙ／ＣＶＢＳ端子４０から入力されている信号にカラーバースト信号が含まれていれば（＃７でＹＥＳ）、制御部１８は、Ｙ／ＣＶＢＳ端子４０からコンポジット映像信号が入力されていると判定する（＃８）。
【００７０】
一方、Ｙ／ＣＶＢＳ端子４０から入力されている信号にカラーバースト信号が含まれていなければ（＃７でＮＯ）、制御部１８は、映像処理部１６の映像信号処理モードをコンポーネントモードに設定する（＃９）。続いて、制御部１８は、同期信号検出部６２による検出結果に基いて、Ｙ／ＣＶＢＳ端子４０から入力されている信号に１５．７ｋＨｚの周波数の同期信号が含まれているか否かを判定する（＃１０）。
【００７１】
そして、Ｙ／ＣＶＢＳ端子４０から入力されている信号に１５．７ｋＨｚの周波数の同期信号が含まれていれば（＃１０でＹＥＳ）、制御部１８は、Ｙ／ＣＶＢＳ端子４０からコンポーネント映像信号のＹ信号が入力されていると判定する（＃１１）。
【００７２】
一方、Ｙ／ＣＶＢＳ端子４０から入力されている信号に１５．７ｋＨｚの周波数の同期信号が含まれていなければ（＃１０でＮＯ）、制御部１８は、Ｙ／ＣＶＢＳ端子４０からコンポーネント映像信号のＹ信号とコンポジット映像信号のいずれも入力されていないと判定する（＃１２）。
【００７３】
上記の＃５又は＃１２の判定結果のときは、制御部１８は、ＨＤＭＩレシーバ１５による同期信号の検出結果に基いて、ＨＤＭＩ端子３３から入力されている信号に同期信号が含まれているか否かを判定する（＃１３）。
【００７４】
そして、ＨＤＭＩ端子３３から入力されている信号に同期信号が含まれていれば（＃１３でＹＥＳ）、制御部１８は、ＨＤＭＩ端子３３からＨＤＭＩ信号又はＤＶＩ信号が入力されていると判定する（＃１４）。
【００７５】
一方、ＨＤＭＩ端子３３から入力されている信号に同期信号が含まれていなければ（＃１１でＮＯ）、制御部１８は、ＨＤＭＩ端子３３からＨＤＭＩ信号とＤＶＩ信号のいずれも入力されていないと判定し（＃１５）、ノーシグナル状態であると判定する（＃１６）。
【００７６】
ノーシグナル状態のとき、制御部１８は、上記＃１〜＃１６の処理を所定時間（例えば１秒）経過する毎に実行する。
【００７７】
上記の＃４又は＃１１でコンポーネント映像信号のＹ信号が入力されていると判定した場合には、制御部１８は、映像処理部１６の映像信号処理モードをコンポーネントモードに維持（設定）する。これにより、映像処理部１６は、その後にＹ／ＣＢＶＳ端子４０、Ｐｂ端子３２ｐｂ、及びＰｒ端子３２ｐｒから入力される信号に対して、コンポーネントモードで各種の映像信号処理を行う。従って、Ｙ／ＣＶＢＳ端子４０、Ｐｂ端子３２ｐｂ、及びＰｒ端子３２ｐｒから入力されるコンポーネント映像信号は、映像処理部１６においてコンポーネントモードで適正に処理される。そして、Ｙ／ＣＶＢＳ端子４０、Ｐｂ端子３２ｐｂ、及びＰｒ端子３２ｐｒから入力されるコンポーネント映像信号による映像がディスプレイ１２に適正に表示される。
【００７８】
コンポーネント映像信号のＹ信号が入力されていると判定した後においては、同期信号検出部６２による検出結果に基いて、ノーシグナル状態になったか否か（継続してコンポーネント映像信号のＹ信号が入力されているか否か）を判定する。すなわち、制御部１８は、所定時間（例えば１秒）経過する毎に、同期信号検出部６２による検出結果に基いて、Ｙ／ＣＶＢＳ端子４０から入力されている信号に１５．７ｋＨｚ、３１．４ｋＨｚ、３３．７ｋＨｚ、４４．２ｋＨｚ、６７．５ｋＨｚのいずれかの周波数の同期信号が含まれているか否かを判定する。そして、Ｙ／ＣＶＢＳ端子４０から入力されている信号に１５．７ｋＨｚ、３１．４ｋＨｚ、３３．７ｋＨｚ、４４．２ｋＨｚ、６７．５ｋＨｚのいずれの周波数の同期信号も含まれていなければ、制御部１８は、Ｙ／ＣＶＢＳ端子４０からコンポーネント映像信号のＹ信号が入力されなくなったと判定し、ノーシグナル状態になったと判定する。
【００７９】
また、上記の＃８でコンポジット映像信号が入力されていると判定した場合には、制御部１８は、映像処理部１６の映像信号処理モードをコンポジットモードに維持（設定）する。これにより、映像処理部１６は、その後にＹ／ＣＢＶＳ端子４０から入力される信号に対して、コンポジットモードで各種の映像信号処理を行う。従って、Ｙ／ＣＶＢＳ端子４０から入力されるコンポジット映像信号は、映像処理部１６においてコンポジットモードで適正に処理される。そして、Ｙ／ＣＶＢＳ端子４０から入力されるコンポジット映像信号による映像がディスプレイ１２に適正に表示される。
【００８０】
コンポジット映像信号が入力されていると判定した後においては、制御部１８は、カラーバースト信号検出部６１による検出結果に基いて、ノーシグナル状態になったか否か（継続してコンポジット映像信号が入力されているか否か）を判定する。すなわち、制御部１８は、所定時間（例えば１秒）経過する毎に、カラーバースト信号検出部６１による検出結果に基いて、Ｙ／ＣＶＢＳ端子４０から入力されている信号にカラーバースト信号が含まれているか否かを判定する。そして、Ｙ／ＣＶＢＳ端子４０から入力されている信号にカラーバースト信号が含まれていなければ、制御部１８は、Ｙ／ＣＶＢＳ端子４０からコンポジット映像信号が入力されなくなったと判定し、ノーシグナル状態になったと判定する。
【００８１】
また、上記の＃１４でＨＤＭＩ信号又はＤＶＩ信号が入力されていると判定した場合には、制御部１８は、映像処理部１６の映像信号処理モードをＨＤＭＩモードに設定する。これにより、映像処理部１６は、その後にＨＤＭＩレシーバ１５から入力される信号に対して、ＨＤＭＩモードで各種の映像信号処理を行う。従って、ＨＤＭＩ端子３３から入力されるＨＤＭＩ信号又はＤＶＩ信号の映像信号は、映像処理部１６においてＨＤＭＩモードで適正に処理される。そして、ＨＤＭＩ端子３３から入力されるＨＤＭＩ信号又はＤＶＩ信号の映像信号による映像がディスプレイ１２に適正に表示される。
【００８２】
ＨＤＭＩ信号又はＤＶＩ信号が入力されていると判定した後においては、制御部１８は、ＨＤＭＩレシーバ１５による同期信号の検出結果に基いて、ノーシグナル状態になったか否か（継続してＨＤＭＩ信号又はＤＶＩ信号が入力されているか否か）を判定する。すなわち、制御部１８は、所定時間（例えば１秒）経過する毎に、ＨＤＭＩレシーバ１５による同期信号の検出結果に基いて、ＨＤＭＩ端子３３から入力されている信号に同期信号が含まれているか否かを判定する。そして、ＨＤＭＩ端子３３から入力されている信号に同期信号が含まれていなければ、制御部１８は、ＨＤＭＩ端子３３からＨＤＭＩ信号又はＤＶＩ信号が入力されなくなったと判定し、ノーシグナル状態になったと判定する。
【００８３】
なお、コンポーネント映像信号のＹ信号が入力されていると判定した場合、及びコンポジット映像信号が入力されていると判定した場合、制御部１８は、音声処理部１７の音声処理モードをアナログモードにする。これにより、アナログ音声端子３４から入力されるアナログ音声信号は、音声処理部１７においてアナログモードで処理され、アナログ音声端子３４から入力されるアナログ音声信号による音声がスピーカ１３から出力される。
【００８４】
また、ＨＤＭＩ信号又はＤＶＩ信号が入力されていると判定した場合、制御部１８は、ＨＤＭＩレシーバ１５による音声信号の検出結果に基いて、ＨＤＭＩ端子３３から入力されている信号に音声信号が含まれているか否かを判定する。そして、ＨＤＭＩ端子３３から入力されている信号に音声信号が含まれていれば、制御部１８は、音声処理部１７の音声処理モードをＨＤＭＩモードにする。これにより、ＨＤＭＩ端子３３から入力されるＨＤＭＩ信号の音声信号は、音声処理部１７においてＨＤＭＩモードで処理され、ＨＤＭＩ端子３３から入力されるＨＤＭＩ信号の音声信号による音声がスピーカ１３から出力される。一方、ＨＤＭＩ端子３３から入力されている信号に音声信号が含まれていなければ、制御部１８は、音声処理部１７の音声処理モードをデジタルモードにする。これにより、デジタル音声端子３５から入力されるデジタル音声信号は、音声処理部１７においてデジタルモードで処理され、デジタル音声端子３５から入力されるデジタル音声信号による音声がスピーカ１３から出力される。
【００８５】
本実施形態の映像表示装置１によれば、Ｙ／ＣＶＢＳ端子４０から入力されている信号に基いて、Ｙ／ＣＶＢＳ端子４０から入力されている信号がコンポジット映像信号であるのか、コンポーネント映像信号のＹ信号であるのかを判定することができる。しかも、この判定は、Ｙ／ＣＶＢＳ端子４０から入力されている信号に基いて行われる。従って、別の信号入力用の端子（Ｐｂ端子３２ｐｂやＰｒ端子３２ｐｂ）に信号ケーブルの端子が挿入されているか否かに関係なく、Ｙ／ＣＶＢＳ端子４０から入力されている信号がコンポジット映像信号であるのか、コンポーネント映像信号のＹ信号であるのかを判定することができる。
【００８６】
そして、この判定結果に基いて、映像処理部１６の映像信号処理モードを適切に設定することができ、外部装置から入力されるコンポジット映像信号による映像及びコンポーネント映像信号による映像を適正に表示することができる。
【００８７】
すなわち、Ｙ／ＣＶＢＳ端子４０からコンポジット映像信号が入力されているときに、映像処理部１６の映像信号処理モードをコンポジットに設定することができる。しかも、Ｙ／ＣＶＢＳ端子４０からコンポジット映像信号が入力されていれば、Ｐｂ端子３２ｐｂやＰｒ端子３２ｐｂに信号ケーブルの端子が挿入されていても、映像処理部１６の映像信号処理モードをコンポジットに設定することができる。これにより、Ｙ／ＣＶＢＳ端子４０から入力されるコンポジット映像信号による映像をディスプレイ１２に適正に表示することができる。
【００８８】
また、Ｙ／ＣＶＢＳ端子４０、Ｐｂ端子３２ｐｂ、及びＰｒ端子３２ｐｒからコンポーネント映像信号が入力されているとき（Ｙ／ＣＶＢＳ端子４０からコンポーネント映像信号のＹ信号が入力されているとき）に、映像処理部１６の映像信号処理モードをコンポーネントに設定することができる。これにより、Ｙ／ＣＶＢＳ端子４０、Ｐｂ端子３２ｐｂ、及びＰｒ端子３２ｐｒから入力されるコンポーネント映像信号による映像をディスプレイ１２に適正に表示することができる。
【００８９】
＜第２の実施形態＞
次に、第２の実施形態による映像表示装置について説明する。図７は、第２の実施形態による映像表示装置がノーシグナル状態になったときの動作のフローチャートを示す。本実施形態の映像表示装置１は、ノーシグナル状態になったときの動作が上記第１の実施形態と異なっている。本実施形態における他の構成、他の動作については、上記第１の実施形態と同様である。
【００９０】
本実施形態では、一旦ノーシグナル状態になると、制御部１８は、まず、映像処理部１６の映像信号処理モードをコンポジットモードに設定する（＃２１）。続いて、制御部１８は、カラーバースト信号検出部６１による検出結果に基いて、Ｙ／ＣＶＢＳ端子４０から入力されている信号にカラーバースト信号が含まれているか否かを判定する（＃２２）。
【００９１】
そして、Ｙ／ＣＶＢＳ端子４０から入力されている信号にカラーバースト信号が含まれていれば（＃２２でＹＥＳ）、制御部１８は、Ｙ／ＣＶＢＳ端子４０からコンポジット映像信号が入力されていると判定する（＃２３）。
【００９２】
一方、Ｙ／ＣＶＢＳ端子４０から入力されている信号にカラーバースト信号が含まれていなければ（＃２２でＮＯ）、制御部１８は、映像処理部１６の映像信号処理モードをコンポーネントモードに設定する（＃２４）。続いて、制御部１８は、同期信号検出部６２による検出結果に基いて、Ｙ／ＣＶＢＳ端子４０から入力されている信号に１５．７ｋＨｚ〜６７．５ｋＨｚの周波数の同期信号が含まれているか否かを判定する（＃２５）。
【００９３】
ここで、Ｙ／ＣＶＢＳ端子４０から入力されている信号に１５．７ｋＨｚ〜６７．５ｋＨｚの周波数の同期信号が含まれていれば（＃２５でＹＥＳ）、制御部１８は、同期信号検出部６２による検出結果に基いて、その同期信号の周波数が１５．７ｋＨｚ、３１．４ｋＨｚ、３３．７ｋＨｚ、４４．２ｋＨｚ、６７．５ｋＨｚのいずれかであるか否かを判定する（＃２６）。
【００９４】
そして、Ｙ／ＣＶＢＳ端子４０から入力されている信号に含まれている同期信号の周波数が１５．７ｋＨｚ、３１．４ｋＨｚ、３３．７ｋＨｚ、４４．２ｋＨｚ、６７．５ｋＨｚのいずれかであれば（＃２６でＹＥＳ）、制御部１８は、Ｙ／ＣＶＢＳ端子４０からコンポーネント映像信号のＹ信号が入力されていると判定する（＃２７）。
【００９５】
一方、Ｙ／ＣＶＢＳ端子４０から入力されている信号に含まれている同期信号の周波数が１５．７ｋＨｚ、３１．４ｋＨｚ、３３．７ｋＨｚ、４４．２ｋＨｚ、６７．５ｋＨｚのいずれでもなければ（＃２６でＮＯ）、制御部１８は、Ｙ／ＣＶＢＳ端子４０からコンポーネント映像信号のＹ信号とコンポジット映像信号のいずれも入力されていないと判定する（＃２８）。
【００９６】
また、Ｙ／ＣＶＢＳ端子４０から入力されている信号に１５．７ｋＨｚ〜６７．５ｋＨｚの周波数の同期信号が含まれていなければ（＃２５でＮＯ）、制御部１８は、Ｙ／ＣＶＢＳ端子４０からコンポーネント映像信号のＹ信号とコンポジット映像信号のいずれも入力されていないと判定する（＃２８）。
【００９７】
上記の＃２８の判定結果のときは、制御部１８は、ＨＤＭＩレシーバ１５による同期信号の検出結果に基いて、ＨＤＭＩ端子３３から入力されている信号に同期信号が含まれているか否かを判定する（＃２９）。
【００９８】
そして、ＨＤＭＩ端子３３から入力されている信号に同期信号が含まれていれば（＃２９でＹＥＳ）、制御部１８は、ＨＤＭＩ端子３３からＨＤＭＩ信号又はＤＶＩ信号が入力されていると判定する（＃３０）。
【００９９】
一方、ＨＤＭＩ端子３３から入力されている信号に同期信号が含まれていなければ（＃２９でＮＯ）、制御部１８は、ＨＤＭＩ端子３３からＨＤＭＩ信号とＤＶＩ信号のいずれも入力されていないと判定し（＃３１）、ノーシグナル状態であると判定する（＃３２）。
【０１００】
ノーシグナル状態のとき、制御部１８は、上記＃２１〜＃３２の処理を所定時間（例えば１秒）経過する毎に実行する。
【０１０１】
上記＃２３でコンポジット映像信号が入力されていると判定した場合には、制御部１８は、映像処理部１６の映像信号処理モードをコンポジットモードに維持（設定）する。また、上記の＃２７でコンポーネント映像信号のＹ信号が入力されていると判定した場合には、制御部１８は、映像処理部１６の映像信号処理モードをコンポーネントモードに維持（設定）する。また、上記の＃３０でＨＤＭＩ信号又はＤＶＩ信号が入力されていると判定した場合には、制御部１８は、映像処理部１６の映像信号処理モードをＨＤＭＩモードに設定する。
【０１０２】
本実施形態の映像表示装置１によれば、上記第１の実施形態と同様に、Ｙ／ＣＶＢＳ端子４０から入力されている信号がコンポジット映像信号であるのか、コンポーネント映像信号のＹ信号であるのかを判定することができる。そして、この判定結果に基いて、上記第1の実施形態と同様に、映像処理部１６の映像信号処理モードを適切に設定することができ、映像を適正に表示することができる。
【０１０３】
なお、本発明は、上記各実施形態の構成に限られず、種々の変形が可能である。例えば、映像処理部の映像信号処理モードに関わらず、いずれの映像信号処理モードのときでも、カラーバースト信号検出部により、Ｙ／ＣＶＢＳ端子から入力されている信号にカラーバースト信号が含まれているか否かを検出するようにしてもよい。この場合、第1の実施形態において、＃６、＃９の処理が不要であり、第2の実施形態において、＃２１の処理が不要である。また、映像処理部の映像信号処理モードに関わらず、いずれの映像信号処理モードのときでも、同期信号検出部により、Ｙ／ＣＶＢＳ端子から入力されている信号に同期信号が含まれているか否かを検出するようにしてもよい。この場合、第1の実施形態において、＃１、＃９の処理が不要であり、第2の実施形態において、＃２４の処理が不要である。また、カラーバースト信号検出部、及び同期信号検出部は、映像処理部の一部として設けられたものに限られず、映像処理部とは別のものとして（映像処理部の外部に）設けられたものであってもよい。
【０１０４】
また、ＨＤＭＩ端子及びＨＤＭＩレシーバを備えていなくてもよい。この場合、第1の実施形態において、＃１３、＃１４、＃１５の処理が不要であり、第2の実施形態において、＃２９、＃３０、＃３１の処理が不要である。また、どの種類の映像信号が入力されているかの判定結果に基いて映像信号処理モードを設定することに代えて、どの種類の映像信号が入力されているかの判定結果を表示し（ユーザに報知し）、ユーザの操作を受けて映像信号処理モードを設定するようにしてもよい。また、テレビジョン信号を受信するチューナを備え、チューナにより受信したテレビジョン信号の映像信号による映像を表示する機能を備えていてもよい。
【符号の説明】
【０１０５】
１    映像表示装置
１０    本体
１１    信号入力部
１２    ディスプレイ
１３    スピーカ
１４    リモコン受信部
１５    ＨＤＭＩレシーバ
１６    映像処理部
１７    音声処理部
１８    制御部（判定手段、設定手段）
２０  リモコン
３１    コンポジット端子（ＣＶＢＳ端子）
３２    コンポーネント端子
３２ｙ    Ｙ端子
３２ｐｂ    Ｐｂ端子
３２ｐｒ    Ｐｒ端子
３３    ＨＤＭＩ端子
３４    アナログ音声端子
３４Ｌ    左音声端子
３４Ｒ    右音声端子
３５    デジタル音声端子
４０    Ｙ／ＣＢＶＳ端子
６０    特徴検出部
６１    カラーバースト信号検出部
６２    同期信号検出部
【図１】
2014103602.tif 000003
【図２】
2014103602.tif 000004
【図３】
2014103602.tif 000005
【図４】
2014103602.tif 000006
【図５】
2014103602.tif 000007
【図６】
2014103602.tif 000008
【図７】
2014103602.tif 000009